(57)【要約】【課題】車の入庫時から出庫時までにおける駐車料金を電子マネーで決済する場合の適用対象の拡大化を図ることができる駐車場用電子マネー決済端末システムを提供すること。【解決手段】払い込まれた金額に関する残高情報を格納したＩＣカード４０に対して、必要な情報の読み出しおよび書き込みを行うための入口用リーダライタ２１および出口用リーダライタ３１と、出口用リーダライタ３１により読み出した残高情報に基づき、車の入庫時から出庫時までにおける駐車料金を決済するための出口端末制御装置３０とを備えた駐車場用電子マネー決済端末システム１０において、出口端末制御装置３０は、車が出庫する場合に、入口用リーダライタ２１が車の入庫時にＩＣカード４０に書き込んだ取引情報から割り出した入庫時刻と、現在時刻とから算出した駐車時間に基づいて駐車料金を演算することにより決済するものである。【選択図】      図５
2005301417.tif 000002
【特許請求の範囲】
【請求項１】
払い込まれた金額に関する残高情報を格納した情報記録媒体に対して、必要な情報の読み出しおよび書き込みを行うためのリーダライタと、
前記リーダライタにより読み出した残高情報に基づき、車の入庫時から出庫時までにおける駐車料金を決済するための決済手段と
を備えた駐車場用電子マネー決済端末システムにおいて、
前記決済手段は、前記車が出庫する場合に、前記リーダライタが前記車の入庫時に前記情報記録媒体に書き込んだ取引情報から割り出した入庫時刻と、現在時刻とから算出した駐車時間に基づいて駐車料金を演算することにより決済することを特徴とする駐車場用電子マネー決済端末システム。
【請求項２】
前記決済手段は、前記車が出庫する場合において、前記リーダライタにより読み出した前記入庫時から前記出庫時までの間における取引情報内に、駐車料金の割引対象となる施設での取引情報が含まれている場合には、前記演算した駐車料金に対して前記取引情報に基づく取引金額に応じた割引を行って決済することを特徴とする請求項１に記載の駐車場用電子マネー決済端末システム。
【発明の詳細な説明】
【技術分野】
【０００１】
本発明は、車の入庫時から出庫時までにおける駐車料金を電子マネーで決済する駐車場用電子マネー決済端末システムに関する。
【背景技術】
【０００２】
従来、車の入庫時から出庫時までにおける駐車料金を電子マネーで決済する駐車場用電子マネー決済端末システムとしては、次のようなものが知られている。
【０００３】
図１０は、従来の駐車場用電子マネー決済端末システムの構成を簡略的に示したブロック図である。この図１０において、駐車場用電子マネー決済端末システム１００は、入口端末制御装置２００と、出口端末制御装置３００と、サーバー装置１１０とを備えて構成されている。
【０００４】
入口端末制御装置２００は、駐車場の入口周辺にある機器を制御するものである。この入口端末制御装置２００は、予め払い込まれた払込金額に関する残高情報を格納したＩＣ（Integrated  Circuit）カード（情報記録媒体）４００から必要な情報（ＩＤ（Identity）情報等）を、入口用リーダライタ（入口用Ｒ／Ｗ）２１０を通じて読み出し、サーバー装置１１０に通知するものである。また、入口端末制御装置２００は、入口ゲート２２０の開閉動作を制御するものである。
【０００５】
出口端末制御装置３００は、駐車場の出口周辺にある機器を制御するものである。この出口端末制御装置３００は、出口用リーダライタ（出口用Ｒ／Ｗ）３１０を通じてＩＣカード４００からＩＤ情報を読み出し、かかる情報をサーバー装置１１０に通知するものである。また、出口端末制御装置３００は、出口ゲート３２０の開閉動作を制御するものである。
【０００６】
サーバー装置１１０は、駐車場全体の機器を管理するためのものである。このサーバー装置１１０は、入口端末制御装置２００からの通知により、所定のメモリに入庫時刻およびＩＤ情報を格納する。また、サーバー装置１１０は、出口端末制御装置３００からの通知により、メモリに格納してある入庫時刻と現在時刻とから駐車料金を算出し、この駐車料金に関する情報を出口端末制御装置３００に通知するものである。
【０００７】
以下に、上記駐車場用電子マネー決済端末システム１００の動作について説明する。図１１は、入口端末制御装置の処理内容を示したシーケンス図であり、図１２は、出口端末制御装置の処理内容を示したシーケンス図である。
【０００８】
車の入庫時に、入口端末制御装置２００は、入口用リーダライタ２１０に接触したＩＣカード４００からＩＤ情報を読み出し、サーバー装置１１０に通知する（入庫通知）。入口端末制御装置２００から通知を受けたサーバー装置１１０は、入庫時刻とＩＤ情報とをメモリに格納する。その後、入口端末制御装置２００は、入口ゲート２２０を開動作させる。
【０００９】
一方、車の出庫時に、出口端末制御装置３００は、出口用リーダライタ３１０に接触したＩＣカード４００からＩＤ情報を読み出し、サーバー装置１１０に通知する（出庫通知）。出口端末制御装置３００から通知を受けたサーバー装置１１０は、メモリに格納してある対応するＩＤ情報の入庫時刻と、現在時刻とから駐車料金を算出する。そして、サーバー装置１１０は、算出した駐車料金を出口端末制御装置３００に通知する（料金通知）。出口端末制御装置３００は、出口用リーダライタ３１０を通じて、ＩＣカード４００から駐車料金に相当する分の電子マネーを引き去る。その後、出口端末制御装置３００は、出口ゲート３２０を開動作させる。
【００１０】
以上のように、上記駐車場用電子マネー決済端末システム１００では、車の入庫時に入庫時刻とＩＤ情報とを格納し、車の出庫時に駐車料金を算出するサーバー装置１１０が必要になる。ところが、近年はシステム全体の簡略化、すなわちシステム全体に要するコストの低減化を図る要請があり、そのためサーバー装置を必要としない駐車場用電子マネー決済端末システムが提案されている。
【００１１】
サーバー装置を必要としない駐車場用電子マネー決済端末システムでは、ＩＣカードに入庫時刻を格納するために、ＩＣカードは、図１３に示したように、入庫時刻を格納するための専用領域を有している。そして、車の入庫時には、入口端末制御装置が入口用リーダライタを通じてＩＣカードの専用領域に入庫時刻を書き込む。一方、車の出庫時には、出口端末制御装置が出口用リーダライタを通じてＩＣカードから入庫時刻を読み出して該入庫時刻と現在時刻とから駐車料金を算出して、出口用リーダライタを通じてＩＣカード４０から駐車料金に相当する分の電子マネーを引き去る（例えば、特許文献１）。
【００１２】
【特許文献１】特開平１１−２５０２９３号公報
【発明の開示】
【発明が解決しようとする課題】
【００１３】
ところが、特許文献１に提案されているような駐車場用電子マネー決済端末システムでは、ＩＣカードに入庫時刻を格納するための専用領域が必要となるため、かかるシステムでの適用対象となるＩＣカードが制限されてしまうという問題があった。
【００１４】
本発明は、上記実情に鑑みて、車の入庫時から出庫時までにおける駐車料金を電子マネーで決済する場合の適用対象の拡大化を図ることができる駐車場用電子マネー決済端末システムを提供することを目的とする。
【課題を解決するための手段】
【００１５】
上記目的を達成するために、本発明の請求項１に係る駐車場用電子マネー決済端末システムは、払い込まれた金額に関する残高情報を格納した情報記録媒体に対して、必要な情報の読み出しおよび書き込みを行うためのリーダライタと、前記リーダライタにより読み出した残高情報に基づき、車の入庫時から出庫時までにおける駐車料金を決済するための決済手段とを備えた駐車場用電子マネー決済端末システムにおいて、前記決済手段は、前記車が出庫する場合に、前記リーダライタが前記車の入庫時に前記情報記録媒体に書き込んだ取引情報から割り出した入庫時刻と、現在時刻とから算出した駐車時間に基づいて駐車料金を演算することにより決済することを特徴とする。
【００１６】
また、本発明の請求項２に係る駐車場用電子マネー決済端末システムは、上記請求項１において、前記決済手段は、前記車が出庫する場合において、前記リーダライタにより読み出した前記入庫時から前記出庫時までの間における取引情報内に、駐車料金の割引対象となる施設での取引情報が含まれている場合には、前記演算した駐車料金に対して前記取引情報に基づく取引金額に応じた割引を行って決済することを特徴とする。
【発明の効果】
【００１７】
本発明によれば、決済手段が、車が出庫する場合に、リーダライタが該車の入庫時に情報記録媒体に書き込んだ取引情報から割り出した入庫時刻と、現在時刻とから算出した駐車時間に基づいて駐車料金を演算することにより決済するので、入庫時刻を格納するための特別な専用領域を有さない情報記録媒体も電子マネー決済の対象とすることができ、車の入庫時から出庫時までにおける駐車料金を電子マネーで決済する場合の適用対象の拡大化を図ることができるという効果を奏する。
【発明を実施するための最良の形態】
【００１８】
以下に添付図面を参照して、本発明に係る駐車場用電子マネー決済端末システムの好適な実施の形態について詳細に説明する。
【００１９】
図１は、本発明の実施の形態に係る駐車場用電子マネー決済端末システムの構成を示したブロック図である。この図１において、駐車場用電子マネー決済端末システム１０は、入口端末制御装置２０と、出口端末制御装置（決済手段）３０とを備えて構成してある。
【００２０】
入口端末制御装置２０は、駐車場の入口周辺にある機器を制御するものであり、具体的には、入口用リーダライタ（入口用Ｒ／Ｗ）２１および入口ゲート２２の動作を制御するものである。この入口端末制御装置２０は、図２に示したように、主制御部２３と、通信制御部２４とを備えて構成してある。
【００２１】
主制御部２３は、例えばＲＯＭやＲＡＭ等のメモリ２５に格納されたプログラムやデータに基づいて入口端末制御装置２０の動作を統括的に制御するものである。通信制御部２４は、入口用リーダライタ２１および入口ゲート２２との間における無線、あるいは有線によるデータの送受信を制御するものである。
【００２２】
入口用リーダライタ２１は、情報記録媒体であるＩＣカード４０と接触状態、あるいは非接触状態で無線通信を行い、該ＩＣカード４０に対して必要な情報の読み出しおよび書き込みを行うものである。ＩＣカード４０は、通常一般に電子マネー取引に用いられている周知なものである。このＩＣカード４０には、図３に示したように、固有の識別子であるＩＤ情報や、予め払い込んだ払込金額に関する残高情報が格納してあり、更に取引履歴（取引情報）が格納可能な領域があり、かかる領域に過去の取引履歴が格納してある。入口用リーダライタ２１についてより具体的に説明すると、入口用リーダライタ２１は、無線通信可能な領域にあるＩＣカード４０からＩＤ情報を読み出す一方、該ＩＣカード４０に対して基本料金分の電子マネーを引き去るための書き込み、すなわち取引履歴の書き込みを行う。ここに取引履歴は、取引ごとに採番されるシリアル番号である取引通番、取引日時、取引金額（基本料金）、取引後残高、取引場所等を含んだ情報である。これにより、図４に示したように、ＩＣカード４０には、入口用リーダライタ２１に書き込まれた新たな取引履歴が格納されることになる。
【００２３】
出口端末制御装置３０は、駐車場の出口周辺にある機器を制御するものであり、具体的には、出口用リーダライタ（出口用Ｒ／Ｗ）３１および出口ゲート３２の動作を制御するものである。この出口端末制御装置３０は、図５に示したように、主制御部３３と、通信制御部３４と、入庫時刻認識部３５と、駐車料金演算部３６と、精算料金演算部３７とを備えて構成してある。
【００２４】
主制御部３３は、例えばＲＯＭやＲＡＭ等のメモリ３８に格納されたプログラムやデータに基づいて出口端末制御装置３０の動作を統括的に制御するものである。通信制御部３４は、出口用リーダライタ３１および入口ゲート３２との間における無線、あるいは有線によるデータの送受信を制御するものである。ここに、出口用リーダライタ３１は、ＩＣカード４０と接触状態、あるいは非接触状態で無線通信を行い、該ＩＣカード４０に対して必要な情報の読み出しおよび書き込みを行うものである。ここに、出口用リーダライタ３１についてより具体的に説明すると、出口用リーダライタ３１は、ＩＣカード４０からＩＤ情報（識別情報）や取引履歴等を読み出す一方、決済後の残金に関する残金情報を書き込むものである。
【００２５】
入庫時刻認識部３５は、出口用リーダライタ３１が読み出した取引履歴から入口用リーダライタ２１に書き込まれた取引履歴を検索して入庫時刻を認識するものである。駐車料金演算部３６は、入庫時刻認識部３５が認識した入庫時刻と、現在時刻とから駐車時間を算出して駐車料金を演算するものである。精算料金演算部３７は、実際に請求する精算料金を演算するものである。この精算料金演算部３７についてより具体的に説明すると、出口用リーダライタ３１が読み出した取引履歴に、入口用リーダライタ２１に書き込まれた取引履歴以降、すなわち入庫時刻以降に駐車料金の割引対象となる店舗等の施設での取引履歴が含まれている場合には、駐車料金演算部３６で演算した駐車料金に該施設での取引金額に応じた割引を行うとともに、入口用リーダライタ２１での基本料金分を差し引いて精算料金を演算するものである。一方、入庫時刻以降に割引対象となる施設での取引履歴が含まれていない場合には、精算料金演算部３７は、駐車料金演算部３６で演算した駐車料金に入口用リーダライタ２１での基本料金分を差し引いて精算料金を演算するものである。
【００２６】
以下に、上記駐車場用電子マネー決済端末システム１０の動作について説明する。図６は、入口端末制御装置の処理内容を示したシーケンス図であり、図７は、出口端末制御装置の処理内容を示したシーケンス図である。
【００２７】
入口端末制御装置２０の主制御部２３は、通信制御部２４を通じて入口用リーダライタ２１に読み出し可能な状態になる旨の指令をカード読出しコマンドとして送信する。カード読出しコマンドを受信した入口用リーダライタ２１は、ＩＣカード４０を捕獲可能な状態、すなわちＩＣカード４０と無線通信可能な状態になる。
【００２８】
車の入庫時に、利用者がＩＣカード４０を入口用リーダライタ２１の無線通信可能領域に進入、具体的には入口用リーダライタ２１に接触させると、該入口用リーダライタ２１は、ＩＣカード４０と無線通信を行い、相互認証を行った後、該ＩＣカード４０からＩＤ情報および残高情報を読み出す。入口用リーダライタ２１は、読み出したＩＤ情報および残高情報をカード読出しレスポンスとして入口端末制御装置２０に送信する。
【００２９】
カード読出しレスポンスを受信した主制御部２３（入口端末制御装置２０）は、通信制御部２４を通じて入口用リーダライタ２１に基本料金の引去り指令を発し、これにより、入口用リーダライタ２１は、ＩＣカード４０に対して基本料金分の電子マネーを引き去るための書き込み（取引履歴の書き込み）を行う。そして、入口用リーダライタ２１は、主制御部２３に引去り結果を通知し、該通知を受信した主制御部２３（入口端末制御装置２０）は、通信制御部２４を通じて入口ゲート２２に開指令を発する。開指令を受信した入口ゲート２２は、開動作して車を通過させた後、閉動作してその旨を入口端末制御装置２０に通知する。
【００３０】
一方、出口端末制御装置３０の主制御部３３は、通信制御部３４を通じて出口用リーダライタ３１に読み出し可能な状態になる旨の指令をカード読出しコマンドとして送信する。カード読出しコマンドを受信した出口用リーダライタ３１は、ＩＣカード４０を捕獲可能な状態、すなわちＩＣカード４０と無線通信可能な状態になる。
【００３１】
車の出庫時に、利用者がＩＣカード４０を出口用リーダライタ３１の無線通信可能領域に進入、具体的には出口用リーダライタ３１に接触させると、該出口用リーダライタ３１は、ＩＣカード４０と無線通信を行い、相互認証を行った後、該ＩＣカード４０からＩＤ情報および取引履歴を読み出す。出口用リーダライタ３１は、読み出したＩＤ情報および取引履歴をカード読出しレスポンスとして出口端末制御装置３０に送信する。
【００３２】
カード読出しレスポンスを受信した主制御部３３（出口端末制御装置３０）は、次のようにして精算料金を決定する。図８は、精算料金を決定する場合の出口端末制御装置の主制御部の主な処理内容を示したフローチャートである。
【００３３】
出口端末制御装置３０の主制御部３３は、入庫時刻認識部３５を通じて出口用リーダライタ３１が読み出した取引履歴から入口用リーダライタ２１に書き込まれた取引履歴を検索し（ステップＳ１０１）、該取引履歴から入庫時刻を認識する（ステップＳ１０２）。
【００３４】
そして、主制御部３３は、駐車料金演算部３６を通じて入庫時刻認識部３５が認識した入庫時刻と、現在時刻とから駐車時間を算出して駐車料金を演算する（ステップＳ１０３）。
【００３５】
駐車料金を演算した主制御部３３は、精算料金演算部３７を通じて、出口用リーダライタ３１が読み出した取引履歴に、入口用リーダライタ２１に書き込まれた取引履歴以降に駐車料金の割引対象となる店舗等の施設での取引履歴が含まれているか否かを判断する（ステップＳ１０４）。かかるステップＳ１０４において、図９に示したように割引対象となる施設（店舗Ｂ）での取引履歴が含まれていると判断した場合には、主制御部３３は、精算料金演算部３７を通じて、駐車料金演算部３６で演算した駐車料金に該施設（店舗Ｂ）での取引金額に応じた割引を行うとともに、入口用リーダライタ２１での基本料金分を差し引いて精算料金を演算する（ステップＳ１０５）。そして、今回の処理を終了する。
【００３６】
一方、上記ステップＳ１０４において、割引対象となる施設での取引履歴が含まれていないと判断した場合には、主制御部３３は、精算料金演算部３７を通じて、駐車料金演算部３６で演算した駐車料金に入口用リーダライタ２１での基本料金分を差し引いて精算料金を演算し（ステップＳ１０６）、今回の処理を終了する。
【００３７】
出口端末制御装置３０の主制御部３３は、上述のように精算料金を決定すると、通信制御部３４を通じて出口用リーダライタ３１に精算料金の引き去り指令をカード減算コマンドとして送信する。カード減算コマンドを受信した出口用リーダライタ３１は、ＩＣカード４０に対して精算料金分の電子マネーを引き去るための書き込み（取引履歴の書き込み）を行う。そして、出口用リーダライタ３１は、主制御部３３に引去り結果をカード減算レスポンスとして送信し、カード減算レスポンスを受信した主制御部３３（出口端末制御装置３０）は、通信制御部３４を通じて出口ゲート３２に開指令を発する。開指令を受信した出口ゲート３２は、開動作して車を通過させた後、閉動作してその旨を出口端末制御装置３０に通知する。
【００３８】
以上説明したように、上記駐車場用電子マネー決済端末システム１０によれば、出口端末制御装置３０が、車の入庫時に入口用リーダライタ２１がＩＣカード４０に書き込んだ取引履歴を利用して精算料金を決定して決済するので、つまり、ＩＣカード４０が必ず有している取引履歴を利用して決済するので、入庫時刻を格納するための特別な専用領域を有さないＩＣカードを電子マネー決済の対象とすることができ、車の入庫時から出庫時までにおける駐車料金を電子マネーで決済する場合の適用対象の拡大化を図ることができる。また、従来のようにサーバー装置を要しないので、システム全体の簡略化、すなわちシステム全体に要するコストの低減化も併せて図ることができる。
【００３９】
また、上記駐車場用電子マネー決済端末システム１０によれば、駐車場に入庫してから出庫するまでの間に、駐車料金の割引対象となる店舗等の施設での取引があれば、出口端末制御装置３０が、該取引の金額に応じた割引を行って決済するので、利用者に対してのサービスの拡充を図ることができる。その結果、駐車料金を電子マネーで決済することを普及させることができる。
【００４０】
以上本発明の好適な実施の形態について説明したが、本発明はこれに限定されず種々の変更を行うことができる。例えば、上述の実施の形態では、車の入庫時に入口用リーダライタ２１が基本料金分の電子マネーを引き去ったが、本発明では、必ずしも基本料金を引き去る必要はなく、車の入庫時に基本料金を零（０円）とする取引履歴の書き込みを行うだけでも良い。
【産業上の利用可能性】
【００４１】
以上のように、本発明に係る駐車場用電子マネー決済端末システムは、車の入庫時から出庫時までにおける駐車料金を電子マネーで決済するのに有用である。
【図面の簡単な説明】
【００４２】
【図１】本発明の実施の形態に係る駐車場用電子マネー決済端末システムの構成を示したブロック図である。
【図２】図１に示した入口端末制御装置の構成を示したブロック図である。
【図３】図１に示したＩＣカードの格納状態を示した説明図である。
【図４】図１に示したＩＣカードの格納状態を示した説明図である。
【図５】図１に示した出口端末制御装置の構成を示したブロック図である。
【図６】図２に示した入口端末制御装置の処理内容を示したシーケンス図である。
【図７】図５に示した出口端末制御装置の処理内容を示したシーケンス図である。
【図８】精算料金を決定する場合の出口端末制御装置の主制御部の主な処理内容を示したフローチャートである。
【図９】図１に示したＩＣカードの格納状態を示した説明図である。
【図１０】従来の駐車場用電子マネー決済端末システムの構成を示したブロック図である。
【図１１】図１０に示した入口端末制御装置の処理内容を示したシーケンス図である。
【図１２】図１０に示した出口端末制御装置の処理内容を示したシーケンス図である。
【図１３】図１０に示したＩＣカードの格納状態を示した説明図である。
【符号の説明】
【００４３】
１０    駐車場用電子マネー決済端末システム
２０    入口端末制御装置
２１    入口用リーダライタ
２２    入口ゲート
２３    主制御部
２４    通信制御部
２５    メモリ
３０    出口端末制御装置
３１    出口用リーダライタ
３２    出口ゲート
３３    主制御部
３４    通信制御部
３５    入庫時刻認識部
３６    駐車料金演算部
３７    精算料金演算部
３８    メモリ
４０    ＩＣカード
【図１】
2005301417.tif 000003
【図２】
2005301417.tif 000004
【図３】
2005301417.tif 000005
【図４】
2005301417.tif 000006
【図５】
2005301417.tif 000007
【図６】
2005301417.tif 000008
【図７】
2005301417.tif 000009
【図８】
2005301417.tif 000010
【図９】
2005301417.tif 000011
【図１０】
2005301417.tif 000012
【図１１】
2005301417.tif 000013
【図１２】
2005301417.tif 000014
【図１３】
2005301417.tif 000015